(57)【特許請求の範囲】
【請求項１】
傾斜を有する耕作地において、地下に埋設された給水管の孔から流出する水を土壌の毛細管現象によって植物根圏の土壌に供給する地中灌水システムであって、
前記給水管は、
管内面側において、周方向の少なくとも一部に形成され、かつ軸方向に並ぶ複数の溝部、および
前記溝部の底部のそれぞれに形成され、周方向に所定間隔で配置される複数の前記孔を備え、
前記給水管内に供給された水は、前記溝部のそれぞれに振り分けられて、当該溝部に一時的に蓄えられた水が、前記孔から土壌中に徐々に流出される、地中灌水システム。
【請求項２】
前記給水管内に挿通されて、管壁に形成される複数の貫通孔または空隙から前記溝部に水を導く導水管をさらに備え、
前記導水管の管壁に前記貫通孔または前記空隙を形成する軸方向の間隔は、前記給水管に前記溝部を形成する軸方向の間隔と同等またはそれ以下に設定される、請求項１記載の地中灌水システム。
【請求項３】
前記給水管は、前記溝部の孔のそれぞれに設けられる浸透材を備える、請求項１または２記載の地中灌水システム。
【請求項４】
前記給水管の下方に埋設される遮水部材をさらに備える、請求項１ないし３のいずれかに記載の地中灌水システム。
【請求項５】
請求項１記載の地中灌水システムに用いられて、地下から土壌に水を供給する給水管であって、
管内面側において、周方向の少なくとも一部に形成され、かつ軸方向に並ぶ複数の溝部、および
前記溝部の底部のそれぞれに形成され、周方向に所定間隔で配置される複数の孔を備え、
前記孔の大きさは、前記給水管内に供給された水が当該給水管の下流端側の前記溝部まで行き渡る大きさに設定される、給水管。
【発明の詳細な説明】
【技術分野】
【０００１】
この発明は地中灌水システムおよびそれに用いる給水管に関し、特にたとえば、地下に埋設された給水管から土壌に水を供給する、地中灌水システムおよびそれに用いる給水管に関する。
【背景技術】
【０００２】
従来、畑地などの灌水には、地表に這わせた孔あきホースやスプリンクラ等を用いて、地表面から土壌に水を供給する地表灌水が一般的に用いられている。ここで、地表灌水によって土壌に供給された水は、土壌表面や植物表面も潤すことになるが、これらの水は大気中に蒸発（つまり表面蒸発）してしまうだけであるので、水の無駄遣いが生じる。また、土壌のぬかるみによって作業に支障が出たり、泥跳ねや土壌表面の凝固などの不具合を招いたりしてしまう。さらに、ハウス栽培の場合には、表面蒸発した水分によってハウス内の湿度が過剰に高くなり、植物の病気発生の原因となる場合もある。
【０００３】
これに対して、地下に埋設した給水管から土壌に水を供給する地中灌水では、供給した水が表面蒸発することが無いので、水の無駄遣いを低減でき、水資源を効率的に利用できる。また、土壌がぬかるんだり、ハウス内の湿度が過度に上昇したりする等の地表灌水に起因する不具合も生じない。このため、近年では、各種の地中灌水システムが提案されている。
【０００４】
たとえば、特許文献１には、本件出願人が提案した地中灌水システム（地下灌漑システム）が開示される。特許文献１の技術では、上側開口の容器状に形成される遮水部材の内部に重力水状態の土壌部を形成し、その重力水状態の土壌部から毛細管現象によって植物根圏の土壌に水を供給するようにしている。一例として、上側に開口を設けた横管状（横長の容器状）の遮水部材が用いられる。
【０００５】
また、特許文献２には、従来の地中灌水システムに用いられる灌水ホースの一例が開示される。特許文献２の灌水ホースは、中間層に編組糸補強層を有する３層構造のホースであって、内層および外層は互いに独立した孔を有している。そして、編組糸補強層が内層および外層の孔を連結する間隙を形成することよって、ホースの内外が通じるようにしている。この灌水ホースを用いて地中灌水を行う場合には、灌水ホースの一端を封止すると共に、他端に配水管をつないで水圧をかける。これによって、灌水ホース内の水は、内層および外層の孔および編組糸補強層を通過して、土壌に供給される。
【特許文献１】特開２０１０−２９０７２号公報  [Ａ０１Ｇ  ２５／００]
【特許文献２】特開２０００−３４６２５３号公報  [Ｆ１６Ｌ  １１／１２]
【発明の概要】
【発明が解決しようとする課題】
【０００６】
特許文献１の技術では、上側開口の遮水部材内に重力水状態の土壌部を形成するので、遮水部材が傾いて設置されると、灌水時に遮水部材内の重力水が開口からこぼれてしまう可能性がある。このため、特許文献１の技術では、遮水部材を水平に設置する必要があるので、遮水部材の設置作業に注意を要し、特に傾斜を有する耕作地（傾斜地）に適用する場合には、遮水部材の配置態様に制約を受ける。
【０００７】
また、特許文献２の灌水ホースは、傾斜地にも適用できるが、この灌水ホースを用いて灌水を行うためには、一定以上の高い圧力をかけて送水する必要があるので、ポンプ等の特別な送水設備が別途必要となる。したがって、特許文献２の技術を用いた地中灌水システムでは、設備コストや維持管理コスト等が嵩んでしまう。
【０００８】
それゆえに、この発明の主たる目的は、新規な、地中灌水システムおよびそれに用いる給水管を提供することである。
【０００９】
この発明の他の目的は、ポンプ等の特別な送水設備を必要とすることなく、傾斜地にも好適に用いることができる、地中灌水システムおよびそれに用いる給水管を提供することである。
【課題を解決するための手段】
【００１０】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【００１１】
第１の発明は、傾斜を有する耕作地において、地下に埋設された給水管の孔から流出する水を土壌の毛細管現象によって植物根圏の土壌に供給する地中灌水システムであって、給水管は、管内面側において、周方向の少なくとも一部に形成され、かつ軸方向に並ぶ複数の溝部、および溝部の底部のそれぞれに形成され、周方向に所定間隔で配置される複数の孔を備え、給水管内に供給された水は、溝部のそれぞれに振り分けられて、当該溝部に一時的に蓄えられた水が、孔から土壌中に徐々に流出される、地中灌水システムである。
【００１２】
第１の発明では、地中灌水システム（１０）は、地下に埋設される給水管（１２）を備え、この給水管から土壌に水を供給する。給水管は、合成樹脂や金属などによって形成され、その管内面側には、軸方向に間隔を開けて並ぶ複数の溝部（２０）が形成される。実施例では、給水管は、複数の山部（２２）と谷部（２４）とが軸方向に交互に並設される波形の管壁を有しており、この山部の内面側が溝部として利用される。また、給水管の各溝部には、周方向に所定間隔で配置される複数の孔（２６）が形成される。灌水時には、農業用水配管などの給水源（１６）から給水管内に供給された水は、各溝部に振り分けられて、各孔を通って徐々に土壌に供給される。
【００１３】
第１の発明によれば、給水管の管内面側に複数の溝部を形成したので、灌水時には、溝部のそれぞれに水を溜めることができる。このため、給水管が軸方向に傾斜して設置されても、給水管からの水の供給が一部に偏ることなく土壌に対して略均等に灌水できる。したがって、傾斜地に対しても好適に用いることができる。また、給水源の水圧が低い場合であっても、給水管から土壌に対して灌水できるので、ポンプ等の特別な送水設備を用いる必要がなく、設備コストや維持管理コストを低減できる。
【００１４】
第２の発明は、第１の発明に従属し、給水管内に挿通されて、管壁に形成される複数の貫通孔または空隙から溝部に水を導く導水管をさらに備え、導水管の管壁に貫通孔または空隙を形成する軸方向の間隔は、給水管に溝部を形成する軸方向の間隔と同等またはそれ以下に設定される。
【００１５】
第２の発明では、給水管（１２）内に挿通される導水管（１４）をさらに備える。導水管は、たとえば管壁に孔（３０）や空隙などを有し、その管壁を介して給水源（１６）からの水を給水管の各溝部（２０）内に導く。そして、導水管の管壁に貫通孔または空隙を形成する軸方向の間隔は、給水管に溝部を形成する軸方向の間隔と同等またはそれ以下に設定される。
【００１６】
第２の発明によれば、給水管が上下方向に蛇行するように設置されても、給水管の各溝部には確実に水が供給される。したがって、一様な傾斜を有する耕作地だけでなく、起伏がある（上り下りがある）耕作地にも地中灌水システムを好適に用いることができる。
【００１７】
第３の発明は、第１または第２の発明に従属し、給水管は、溝部の孔のそれぞれに設けられる浸透材を備える。
【００１８】
第３の発明では、給水管（１２）の溝部（２０）に形成される孔（２６）のそれぞれには、透水性を有する浸透材（３６）が設けられる。浸透材は、たとえば、複数の繊維を撚り合わせて棒状にしたり、帯状の不織布を撚って棒状にしたりすることによって形成され、溝部の孔に嵌り合うように取り付けられる。
【００１９】
第３の発明によれば、給水管の溝部の孔への土砂や植物の根などの侵入が防止されるので、孔の目詰まりを防止できる。
【００２０】
第４の発明は、第１ないし第３のいずれかの発明に従属し、給水管の下方に埋設される遮水部材をさらに備える。
【００２１】
第４の発明では、給水管（１２）の下方には、遮水部材（３８）が埋設される。遮水部材は、合成樹脂などによって形成される遮水性を有するシートや板などであり、給水管から土壌に供給された水の移動を規制する。遮水部材は、たとえば、給水管の下方において、給水管の全長に亘るように略水平方向に帯状に配置される。
【００２２】
第４の発明によれば、土壌下方への水の無駄な拡散が遮水部材によって防止されるので、植物の根圏に対して適切に水分を供給できる。
【００２３】
第５の発明は、第１の発明に係る地中灌水システムに用いられて、地下から土壌に水を供給する給水管であって、管内面側において、周方向の少なくとも一部に形成され、かつ軸方向に並ぶ複数の溝部、および溝部の底部のそれぞれに形成され、周方向に所定間隔で配置される複数の孔を備え、孔の大きさは、給水管内に供給された水が当該給水管の下流端側の溝部まで行き渡る大きさに設定される、給水管である。
【００２４】
第５の発明では、給水管（１２）は、地中灌水システム（１０）に用いられ、地下から土壌に水を供給する。給水管は、合成樹脂や金属などによって形成され、その管内面側には、軸方向に間隔を開けて並ぶ複数の溝部（２０）が形成される。実施例では、給水管は、複数の山部（２２）と谷部（２４）とが軸方向に交互に並設される波形の管壁を有しており、この山部の内面側が溝部として利用される。また、給水管の各溝部には、周方向に所定間隔で配置される複数の孔（２６）が形成される。この孔の大きさは、給水管内に供給された水が当該給水管の下流端側の溝部まで行き渡る大きさに設定される。灌水時には、農業用水配管などの給水源（１６）から給水管内に供給された水は、各溝部に振り分けられて、孔を通って徐々に土壌に供給される。
【００２５】
第５の発明によれば、管内面側に複数の溝部を形成したので、灌水時には、溝部のそれぞれに水を溜めることができる。このため、給水管が軸方向に傾斜して設置されても、給水管からの水の供給が一部に偏ることなく土壌に対して略均等に灌水できる。したがって、傾斜地に対しても好適に適用できる地中灌水システムを提供できる。また、給水源の水圧が低い場合であっても、給水管から土壌に対して灌水できるので、ポンプ等の特別な送水設備を用いる必要がなく、地中灌水システムの設備コストや維持管理コストを低減できる。
【発明の効果】
【００２６】
この発明によれば、給水管の管内面側に複数の溝部を形成したので、給水時には、溝部のそれぞれに水を溜めることができる。このため、給水管が軸方向に傾斜して設置されても、給水管からの水の供給が一部に偏ることなく土壌に対して略均等に灌水できる。したがって、傾斜地に対しても好適に用いることができる。また、給水源の水圧が低い場合であっても、給水管から土壌に対して灌水できるので、ポンプ等の特別な送水設備を用いる必要がなく、設備コストや維持管理コストを低減できる。
【００２７】
この発明の上述の目的、その他の目的、特徴および利点は、図面を参照して行う後述の実施例の詳細な説明から一層明らかとなろう。
【図面の簡単な説明】
【００２８】
【図１】この発明の一実施例である地中灌水システムを傾斜地に適用した様子を示す図解図であり、（Ａ）は、地中灌水システムを側方から見た外観および一部断面を示し、（Ｂ）は、地中灌水システムを軸方向から見た断面を示す。
【図２】図１の地中灌水システムが備える給水管の一例を示す図解図であり、（Ａ）は、給水管を側方から見た外観および一部断面を示し、（Ｂ）は、給水管を軸方向から見た断面を示す。
【図３】図１の地中灌水システムにおける水の流れを示す図解図である。
【図４】地中灌水システムが備える給水管の他の一例を示す図解図であり、（Ａ）は、給水管を側方から見た外観および一部断面を示し、（Ｂ）は、給水管を軸方向から見た断面を示す。
【図５】この発明の他の実施例である導水管を用いない場合の地中灌水システムにおける水の流れを示す図解図である。
【図６】この発明のさらに他の実施例である地中灌水システムを軸方向から見た断面を示す図解図である。
【発明を実施するための形態】
【００２９】
図１を参照して、この発明の一実施例である地中灌水システム１０は、地下に埋設される給水管１２および導水管１４を含み、たとえば傾斜を有する耕作地（傾斜地）１００に適用されて、植物の生育に必要な水を地下から土壌に供給する。詳細は後述するが、この実施例では、給水源１６からの水を、導水管１４によって給水管１２の全長に行き渡らせ、給水管１２に形成された複数の溝部２０から土壌に水を供給する。
【００３０】
図２に示すように、給水管１２は、ポリ塩化ビニルやポリエチレン等の合成樹脂やステンレス等の金属などによって形成され、その管内面側には、軸方向に間隔を開けて並ぶ複数の溝部２０が形成される。この実施例では、給水管１２は、環状の山部２２と谷部２４とを交互に繰り返す波形状（蛇腹状）の管壁を有しており、この山部２２の内面側が、周方向の全周に亘って延びる環状の溝部２０となる。なお、溝部２０の断面形状は、図２では台形状のものを例示しているが、これに限定されず適宜の形状を適用可能であり、たとえば円形状や方形状などであってもよい。また、給水管２０は、円形の管に限定されず、楕円形や矩形などの管であってもよい。給水管１２および溝部２０の大きさは、特に限定されず、適用する耕作地１００の土壌成分などによって適宜設定される。一例として、給水管１２の外径（山部２２の外径）は、たとえば５０−３００ｍｍであり、溝部２０の幅および深さのそれぞれは、たとえば５−５０ｍｍである。
【００３１】
また、各溝部２０の底部（山部２２の天頂部）には、周方向に所定間隔で配置される複数の貫通孔２６が形成される。この周方向の所定間隔は、給水管１２をどの周方向位置に設置しても、つまり給水管１２が回転したり捩れたりしても、給水管１２の底部付近に貫通孔２６が位置するように設定される。貫通孔２６の大きさは、たとえば直径１−５ｍｍである。
【００３２】
なお、図２では、８つの円形の貫通孔２６を溝部２０の底部中央において周方向に１列に並べて配置したものを例示しているが、これに限定されない。たとえば、貫通孔２６は、スリット状に形成してもよいし、周方向に２列以上に並べて配置したり、溝部２０を形成する管壁全体にランダムに分散させて配置したりすることもできる。貫通孔２６の大きさ、形状、形成位置および数などは、適用する耕作地１００の土壌成分などに応じて適宜設定されるものであり、これらを調整変更することによって、給水管１２から土壌への水の供給量を制御することができる。
【００３３】
給水管１２の製作には、汎用の波形管（コルゲート管）を原管として用いるとよく、この原管の山部にドリルなどを用いて貫通孔を穿孔することで、容易かつ安価に給水管１２を製作できる。
【００３４】
図１に戻って、このような給水管１２は、たとえば植物の根圏に沿うように耕作地１００に埋設される。なお、図１では１本の給水管１２を示しているが、耕作地１００が広い場合には、複数本の給水管１２を並列に配置するとよい。たとえば、複数の畝がある耕作地１００では、畝ごとに給水管１２を配置してもよいし、２−３本の畝に１本の割合で給水管１２を配置してもよい。隣り合う給水管１２同士の間隔は、たとえば５００−２０００ｍｍとされる。また、給水管１２は、基本的には直線状に配置されるが、蛇行するように配置してもよい。
【００３５】
また、給水管１２の内部には、合成樹脂や合成ゴムなどによって形成される導水管１４が挿通される。導水管１４は、給水管１２の全長に亘って挿通されて、給水源１６からの水を、その管壁に形成される孔や空隙などを介して給水管１２の各溝部２０まで導くものである。この実施例では、導水管１４は、管壁に複数の貫通孔３０を有する有孔管である。導水管１４の外径は、たとえば５−３０ｍｍであり、導水管１４の管壁に形成される貫通孔３０の大きさは、たとえば直径１−５ｍｍである。また、導水管１４の貫通孔３０が形成される軸方向の間隔は、給水管１２の全ての溝部２０に確実に水を導けるように、給水管１２の溝部２０が形成される軸方向の間隔と同等またはそれ以下に設定されることが好ましい。なお、導水管１４の管壁に形成される孔や空隙などは、管壁を直線状に貫くものに限定されず、多孔質状や網目状のものでもよい。また、給水管１２への導水時には弱い圧力をかけて送水するようにしても構わない。
【００３６】
給水管１２および導水管１４の下流側端部は、管端キャップ（図示せず）等によって適宜封止される。また、導水管１４の上流側端部は、配水管３２を介して、農業用水配管（用水パイプライン）や貯水タンクなどの給水源１６と接続される。
【００３７】
このような地中灌水システム１０では、灌水時には、たとえば配水管３２に設けられたバルブ３４を手動で開け閉めすることによって、給水源１６から導水管１４に対して水が供給される。ただし、電磁弁やタイマ等を利用して、所定の時間帯に自動的に給水源１６から水が供給されるようにしてもよいし、給水源１６からの取水量を適宜調整して、水が常時供給されるようにしてもよい。
【００３８】
給水源１６から導水管１４に供給された水は、図３に示すように、導水管１４内を通って給水管１２の全長に亘るように搬送されると共に、各貫通孔３０から導水管１４外に出て、給水管１２の各溝部２０内に振り分けられる。そして、溝部２０に一時的に溜められた水は、貫通孔２６を通って徐々に土壌に供給され、毛細管現象によって給水管１２の周囲に浸透していく。このように、地中灌水システム１０では、給水管１２の溝部２０のそれぞれに水を溜めることができるので、給水管１２が軸方向に傾斜して設置されても、給水管１２からの水の供給が一部に偏ることなく、土壌に対して略均等に灌水できる。
【００３９】
なお、給水管１２から土壌への水の供給量は、上述のように、溝部２０の貫通孔２６の大きさ、形状、形成位置および数などによって制御可能であり、この場合には、給水管１２から土壌に出ていく水の量と導水管１４から給水管１２に供給される水の量とは、同程度に設定される。ただし、給水管１２の溝部２０に形成する貫通孔２６の孔径を大きくして、溝部２０に供給された水は直ぐに土壌に出ていくようにし、土壌への水の供給量は、導水管１４から給水管１２（溝部２０）への水の供給量によって制御するようにしてもよい。
【００４０】
この実施例によれば、給水管１２の軸方向に間隔を開けて形成される複数の溝部２０のそれぞれに水を溜めることができるので、給水管１２が軸方向に傾斜して設置されても、給水管１２からの水の供給が一部に偏ることなく、土壌に対して略均等に灌水できる。つまり、給水管１２の正確な水平出しを行う必要がないので、傾斜地に対しても好適に用いることができる。また、給水源１６の水圧が低い場合であっても、給水管１２から土壌に対して灌水できるので、ポンプ等の特別な送水設備を用いる必要がなく、設備コストや維持管理コスト等が低減できる。
【００４１】
また、この実施例では、給水管１２に対して周方向全周に亘って延びる環状の溝部２０を形成し、溝部２０には周方向に所定間隔で配置される複数の貫通孔２６を形成した。このため、給水管１２を設置する際に、給水管１２が捩れたり回転したりしても、常に給水管１２の底側には溝部２０および貫通孔２６が存在することになり、土壌への水の供給は適切に行われる。すなわち、給水管１２の周方向位置を気にすることなく設置作業を行うことができるので、地中灌水システム１０は、施工が容易となる。
【００４２】
さらに、この実施例では、給水管１２内に導水管１４を挿通して、導水管１４によって給水管１２の各溝部２０まで水を導くようにしたので、給水管１２が上下方向に蛇行するように設置されても、給水管１２の各溝部２０には確実に水が供給される。このため、地中灌水システム１０は、一様な傾斜を有する耕作地だけでなく、起伏がある（上り下りがある）耕作地にも好適に用いられる。特に、畑などの耕作地は、一見すると水平地に見えても起伏がある場合が多いので、地中灌水システム１０を利用する効果は大きい。もちろん、地中灌水システム１０は、水平地にも好適に用いることができる。
【００４３】
なお、給水管１２は、導水管１４を覆って保護する機能も有しており、導水管１４は土壌と接触しないので、導水管１４の貫通孔３０が土や砂などによって詰まってしまうことがない。すなわち、導水管１４の目詰まりによる導水機能の低下が発生せず、導水管１４内を洗浄したり、交換したりする必要が生じないので、地中灌水システム１０は、維持管理が容易となる。
【００４４】
また、耕作地１００の面積などに応じて、給水管１２の大きさや配置態様などを適宜変更することによって、地中灌水システム１０は、個人用から大規模なものまで幅広く適用できる。たとえば、庭の花壇に用いることもできるし、大規模な畑作や稲作などに用いることもできる。
【００４５】
図４は、地中灌水システム１０が備える給水管の他の一例を示す。図４に示す給水管１２は、図２に示す給水管１２に浸透材３６を設けたものであり、それ以外は図２に示す給水管１２と同様であるので、共通する部分については同じ番号を付し、重複する説明は省略または簡略化する。
【００４６】
図４に示すように、給水管１２の管内面側には、軸方向に間隔を開けて並ぶ複数の溝部２０が形成され、各溝部２０には、周方向に所定間隔で配置される複数の貫通孔２６を形成される。そして、貫通孔２６のそれぞれには、透水性を有する浸透材３６が設けられる。浸透材３６は、毛細管現象によって溝部２０内の水を給水管１２外（土壌）に吸い出すものであり、貫通孔２６に嵌り合うように設けられて、溝部２０内から給水管１２外まで延びる。浸透材３６は、たとえば、複数の繊維を撚り合わせて棒状にしたり、帯状の不織布を撚って棒状にしたりすることによって形成される。そして、浸透材３６を形成する繊維間が、毛細管現象によって移動する水の通路となる。浸透材３６を形成する繊維の材質は、特に限定されず、たとえば、ポリエステル系やポリアミド系などの合成繊維、および綿や麻などの天然繊維などの一般的な繊維を用いることができる。なお、浸透材３６は、毛細管現象が生じる素材であれば、繊維以外のもので形成されていても構わない。
【００４７】
図４に示す給水管１２では、貫通孔２６に浸透材３６を設けているので、貫通孔２６への土砂や植物の根などの侵入が防止される。したがって、給水管１２の貫通孔２６の目詰まりを防止でき、地中灌水システム１０の維持管理がより容易となる。
【００４８】
なお、図１に示す実施例では、給水管１２の内部に導水管１４を挿通するようにしたが、一様な傾斜を有する（起伏がない）耕作地１００に地中灌水システム１０を適用する場合には、導水管１４は必ずしも設ける必要はない。この場合には、給水管１２の上流側端部に配水管３４が接続され、給水源１６からの水は給水管１２内に直接供給される。給水管１２内に供給された水は、図５に示すように、上流側の溝部２０内に供給されると共に、一部が越流して、順に下流側の溝部２０内に供給される。そして、溝部２０に一時的に溜められた水は、貫通孔２６を通って徐々に土壌に供給され、毛細管現象によって給水管１２の周囲に浸透していく。なお、導水管１４を省略する場合には、溝部２０に設けられる貫通孔２６は、小さめに形成され、給水源１６から供給された水が給水管１２の下流端側の溝部２０まで適切に行き渡るようにされる。このように、導水管１４を省略することで、地中灌水システム１０の更なるコストダウンを図ることができる。
【００４９】
また、地中灌水システム１０の他の実施例として、図６に示すように、給水管１２の下方に埋設される遮水部材３８をさらに備えるようにしてもよい。遮水部材３８は、ポリエチレンおよびポリ塩化ビニル等の合成樹脂などによって形成される遮水性を有するシートや板などであり、給水管１２から土壌に供給された水の移動を規制するものである。一例として、遮水部材３８は、給水管１２底部からたとえば１０−５０ｍｍ離れた下方において、給水管１２の全長に亘るように略水平方向に帯状に配置され、その両側部は、給水管１２に沿うように立ち上げられる。
【００５０】
このように遮水部材３８を給水管１２の下方に設けることによって、給水管１２から土壌に供給された水は、下方および側方への移動が抑制され、毛管水として上方に移動し易くなる。したがって、植物の根圏に対してより効率よく水を供給できるようになる。ただし、遮水部材３８は、給水管１２の下方において略水平方向のみに配置されるだけでもよい。なお、遮水部材３８を容器状に形成したり、耕作地１００の広範囲に亘って配置したりすると、降雨があったときに水が溜まってしまい、根腐れ等が発生する恐れがあるので、過度の水は下に抜けるような孔などを遮水部材３８に形成しておくことが好ましい。
【００５１】
また、上述の各実施例では、給水管１２の溝部２０を周方向に延びる独立した環状に形成したが、これに限定されず、給水管１２の管内面に沿って螺旋状に延びる溝を形成し、その溝を溝部２０としてもよい。また、溝部２０は、必ずしも周方向全周に亘って形成される必要はない。溝部２０は、少なくとも給水管１２の底部に形成されていればよく、周方向の一部、たとえば周方向の半分や４分の１に亘って延びる円弧状に形成することもできる。さらに、たとえば、円形の凹みを軸方向に並べて配置したものを溝部２０としてもよいし、給水管１２の管内空間の下部を軸方向に所定間隔で仕切る複数の堰部（たとえば半円状の突出部）を形成し、その堰部によって区画された各部分を溝部２０としてもよい。
【００５２】
なお、周方向の一部に溝部２０を形成する場合には、給水管１２の設置時の目印として、溝部２０の周方向中央と対向する管外面位置に、突起や溝などを形成したり、ロゴマーク等の印刷を施したりしておくとよい。このような目印を設けておくことによって、給水管１２の底部に溝部２０が位置するように、給水管１２を確実に設置できる。
【００５３】
また、給水管１２の軸方向全長に亘って凹凸を繰り返すように溝部２０を形成する必要はなく、給水管１２の軸方向の一部に溝部２０を形成することもできる。つまり、給水管１２の溝部２０は、灌水を行いたい必要な場所に設けてあればよく、給水管１２は、溝部２０が形成される波形状の部分の他に、溝部２０が形成されないプレーン管の部分を有していてもよい。たとえば、溝部２０を有する管と通常のプレーン管とを接続して給水管１２を形成しても構わない。また、溝部２０は、必ずしも軸方向に一定の間隔で設けられる必要もない。
【００５４】
さらに、溝部２０は、給水管１２の管内面側に形成されていればよいので、給水管１２の管外面側は平滑に形成されていてもよい。また、各溝部２０に１つの貫通孔２６を形成するだけでもよい。この場合には、上述のような設置時の目印を貫通孔２６と対向する管外面位置に形成しておくとよい。
【００５５】
なお、上で挙げた寸法などの具体的数値はいずれも単なる一例であり、製品の仕様などの必要に応じて適宜変更可能である。
【符号の説明】
【００５６】
１０  …地中灌水システム
１２  …給水管
１４  …導水管
１６  …給水源
２０  …溝部
２６  …給水管の貫通孔
３０  …導水管の貫通孔
３６  …浸透材
３８  …遮水部材
１００  …耕作地
【図１】
0005916302.tif 000002
【図２】
0005916302.tif 000003
【図３】
0005916302.tif 000004
【図４】
0005916302.tif 000005
【図５】
0005916302.tif 000006
【図６】
0005916302.tif 000007